(57)【要約】【課題】表示ブロックを載置したときだけ表示ブロックの出射部に整然とした画像が表示されるようにした表示システムを提供すること。【解決手段】入射面５１と出射面５２とを有する表示ブロック５０と、表示ブロック５０の入射面５１に入射させる光画像を表示する表示部７３を有する表示装置１０と、を備え、表示ブロック５０は、一端が入射面５１に位置し他端が出射面５２に位置する光導波路６４ａの集合体６４を有し、集合体６４を構成する光導波路６４ａは入り組んで形成され、表示装置１０の表示部７３に表示された雑然とした光画像を、表示ブロック５０で整然とした光画像に変換して出射面５２に表示させる。【選択図】図３
2017153878.tif 000002
【特許請求の範囲】
【請求項１】
入射面と出射面とを有する表示ブロックと、
前記表示ブロックの入射面に入射させる光画像を表示する表示部を有する表示装置と、を備え、
前記表示ブロックは、一端が入射面に位置し他端が出射面に位置する光導波路の集合体を有し、前記集合体を構成する光導波路は入り組んで形成され、
前記表示装置の前記表示部に表示された雑然とした光画像を、前記表示ブロックで整然とした光画像に変換して前記出射面に表示させる、
ことを特徴とする表示システム。
【請求項２】
前記整然とした光画像は文字、図形若しくは記号又はこれらの組合せの光画像であることを特徴とする請求項１に記載の表示システム。
【請求項３】
前記表示装置の表示部はタッチパネルで形成され、
前記表示ブロックにはマーカが形成され、
前記表示装置の前記タッチパネルに前記表示ブロックを載置した際にタッチパッドを介して前記マーカを検出し、前記表示ブロックを載せた箇所に前記光画像を表示するように構成されていることを特徴とする請求項１又は請求項２に記載の表示システム。
【請求項４】
前記表示ブロックは摘める大きさで、摘み部に設けられた導電部材と、前記マーカとして前記導電部材に連なる導電性の触子とを有し、前記触子が前記タッチパッドに接触することにより、前記触子を検出するように構成されていることを特徴とする請求項３に記載の表示システム。
【発明の詳細な説明】
【技術分野】
【０００１】
本発明は、表示システムに関するものである。
【背景技術】
【０００２】
従来、ディスプレイ（表示部）を有する表示装置と、発光装飾体（表示ブロック）とを備え、前記発光装飾体は、ディスプレイの表示光が入射される受光部と、この受光部から入射された光を導く光導波路と、光導波路を介して伝達された光が出射されて発光する発光部と、を具備する表示システムが知られている（例えば、特許文献１参照）。この表示システムによれば、ディスプレイにおけるイルミネーション用の表示光を発する表示領域の上に発光装飾体を載置し、ディスプレイの表示光を光源に利用して発光させる。
また、表示システムとして、特許文献２に開示されたものが知られている。この表示システムによれば、タッチパネル（画像表示部）の上に乗せ、ロボット（表示ブロック）の底面のタッチセンサ作用部がタッチパッドに作用すると、光画像処理装置（表示装置）がタッチパネルの表示画面のうちロボットの底面に対応する矩形領域に顔画像を表示する。すると、顔画像はロボットの底面から取り込まれ、ロボットの顔部に表示される。
【先行技術文献】
【特許文献】
【０００３】
【特許文献１】特開２０１４−３７０６３号公報
【特許文献２】特開２０１５−１１１３７５号公報
【発明の概要】
【発明が解決しようとする課題】
【０００４】
ところで、上記特許文献１に記載の発明に上記特許文献２に記載の発明を適用して、表示ブロックの出射面に顔画像等を表示させようとする場合、次のような問題が生じる。
すなわち、上記特許文献２に記載の表示ブロックでは、光導波路の一端の配置と他端の配置とが同じとなっているので、表示装置の表示部に表示される画像と表示ブロックの出射面に表示される画像とは同じ画像となっている。
そのため、上記特許文献１に記載の発明に上記特許文献２に記載の発明を適用すると、表示ブロックを載置する前から表示装置の表示部には顔画像等が表示されることから、表示ブロックを載置する前に、表示ブロックを載置した後に表示ブロックの出射面に表示される画像を容易に予測でき、意外性に乏しいという問題がある。また、一旦、表示ブロックを載置して顔画像等を表示装置の表示部に表示させた後、表示ブロックを取り除いても暫くは表示装置の表示部に顔画像等を表示させておくような場合にも、表示ブロックがなくても表示ブロックがある場合と同様の顔画像等が表示部に表示されるため表示ブロックとしての価値が減殺されてしまう。
【０００５】
本発明は、表示ブロックを載置したときだけ表示ブロックの出射部に整然とした画像が表示されるようにした表示システムを提供することを目的としている。
【課題を解決するための手段】
【０００６】
請求項１に記載の表示システムは、
入射面と出射面とを有する表示ブロックと、
前記表示ブロックの入射面に入射させる光画像を表示する表示部を有する表示装置と、を備え、
前記表示ブロックは、一端が入射面に位置し他端が出射面に位置する光導波路の集合体を有し、前記集合体を構成する光導波路は入り組んで形成され、
前記表示装置の前記表示部に表示された雑然とした光画像を、前記表示ブロックで整然とした光画像に変換して前記出射面に表示させる、
ことを特徴とする。
【０００７】
請求項２に記載の表示システムは、請求項１に記載の表示システムであって、前記整然とした光画像は文字、図形若しくは記号又はこれらの組合せの光画像であることを特徴とする。
【０００８】
請求項３に記載の表示システムは、請求項１又は請求項２に記載の表示システムであって、前記表示装置の表示部はタッチパネルで形成され、前記表示ブロックにはマーカが形成され、前記表示装置の前記タッチパネルに前記表示ブロックを載置した際に前記表示装置がタッチパッドを介して前記マーカを検出し、前記表示ブロックを載せた箇所に前記光画像を表示するように構成されていることを特徴とする。
【０００９】
この場合、前記表示装置の前記タッチパネルに前記表示ブロックを載置した際にタッチパッドを介して前記マーカを検出し、前記表示ブロックを載せた箇所に前記表示ブロックの状態に応じた前記光画像を表示することもできる。
【００１０】
例えば、前記表示ブロックを載せた箇所に前記表示ブロックの向きに応じた前記光画像を表示することができる。
【００１１】
請求項４に記載の表示システムは、請求項３に記載の表示システムであって、前記表示ブロックは摘める大きさで、摘み部に設けられた導電部材と、前記マーカとして前記導電部材に連なる導電性の触子とを有し、前記触子が前記タッチパッドに接触することにより、前記触子を検出するように構成されていることを特徴とする。
【発明の効果】
【００１２】
請求項１に記載の表示システムによれば、表示装置の表示部には雑然とした光画像が表示されるので、それだけでは最終的に何の画像かが分からず、表示ブロックを表示部の上に載置したときに初めて画像が分かるので、意外性に富む目新しい表示システムが実現できる。
【００１３】
請求項２に記載の表示システムによれば、整然とした光画像は文字、図形若しくは記号又はこれらの組合せの光画像であるので、画像が意味する内容を確実に相手方に伝達することができる。
【００１４】
請求項３に記載の表示システムによれば、表示部における表示ブロックの載置位置に対応する位置に雑然とした光画像が表示されるので、通常は、表示ブロックによってその雑然とした光画像を覆い隠すことができるとともに、その雑然とした光画像全体を表示ブロックで整然とした光画像に変換して表示させることができる。
この場合、タッチパネルの上に載置される表示ブロックの状態に応じた光画像が表示されれば、興趣性の高い表示システムが実現できる。ここで、「表示ブロックの状態」とは、表示ブロックの所定時間内における載置回数、載置向きなどが挙げられる。載置回数に応じて表示部に表示される光画像の内容を変化させてもよいし、載置向きに応じて表示ブロックの向きに対応した向きで表示部に表示される光画像の向きを変化させてもよい。
【００１５】
例えば、タッチパッドの上に載置される表示ブロックの向きに応じた画像が表示されれば、興趣性の高い表示システムが実現できる。
【００１６】
請求項４に記載の表示システムによれば、タッチパッドを介して簡単にマーカの検出を行うことができる。
【図面の簡単な説明】
【００１７】
【図１】実施形態の表示システムを示した斜視図である。
【図２】図１の表示システムの表示ブロックを下側から見た状態を示した斜視図である。
【図３】図２の表示ブロックの分解斜視図である。
【図４】光導波路の入射面における配置と出射面における配置とを示した図である。
【図５】表示装置の表示部に表示された光画像の一例と表示ブロックの出射面に表示された光画像の一例と示した図である。
【図６】図１の表示システムの表示装置の機能構成を示したブロック図である。
【図７】表示ブロックを表示部上に載せた状態を示した斜視図である。
【発明を実施するための形態】
【００１８】
以下、本発明に係る動作玩具の実施形態を図面に基づいて説明する。
【００１９】
《全体構成の概要》
図１は、実施形態の表示システムを示した斜視図である。
この表示システム１００は、表示装置１０と表示ブロック５０とを備えている。表示装置１０は、所定の光画像を表示するタッチパネル１１を有している。一方、表示ブロック５０は、タッチパネル１１に表示された光画像を入射する入射面５１（図２参照）、及び、入射面５１から入射された光画像を外部に向けて表示する出射面５２を有している。
この表示システム１００によれば、表示装置１０のタッチパネル１１に雑然とした光画像を表示し、この雑然とした光画像を表示ブロック５０で整然とした光画像に変換して出射面５２に表示させる。
【００２０】
《細部》
（１）表示ブロック５０について
この表示ブロック５０は略立方体の形に形成されている。以下の表示ブロック５０の説明において上下、左右及び前後は図１に示す方向を指示するものとする。
この表示ブロック５０は全体としてロボットの形態をなし、コミュニケーションロボットを構成している。ただし、ロボットの形態はこれに限定されない。そして、前面の下側左にはロボットの右脚部５３が、前面の下側右にはロボットの左脚部５４がそれぞれ形成されている。また、左面にはロボットの右腕部５５が、右面にはロボットの左腕部５６がそれぞれ形成されている。また、上面はロボットの顔部５７を形成している。この顔部５７は、ドーム状に膨らんでいるとともに、少し前傾となっている。さらに、後面の下側中央には尾部５８が形成されている。
【００２１】
この表示ブロック５０は、前面、左面、右面及び後面を構成する角筒状の枠体６１と、上面を構成する上カバー６２と、下面を構成する下カバー６３とを備えている。
ここで、枠体６１は、図３に示すように、前枠６１ａと後枠６１ｂとから構成され、前枠６１ａの突起６１０ａを後枠６１ｂの同数の孔６１０ｂに嵌合させることによって形成されている。
上カバー６２には８行８列に並ぶように規則正しく孔６２ａが形成されている。この上カバー６２は溝６２ｂに枠体６１の突片６１ｃを差し込むことによって枠体６１に取り付けられる。
また、下カバー６３にも８行８列に並ぶように規則正しく孔６３ａが形成されている。この下カバー６３は周縁を枠体６１の溝６１ｄに差し込むことによって枠体６１に取り付けられる。
【００２２】
また、表示ブロック５０の内部には、光導波路集合体６４と、この光導波路集合体６４を取り囲む導電体（導電部材）６５とが設けられている。
光導波路集合体６４は特に限定されないがアクリルで形成された６４本の光導波路６４ａから構成されている。この光導波路集合体６４は、連結された２本〜４本の光導波路６４ａの複数の束を互いに組み付けることによって形成されている。各光導波路６４ａの一端は、下カバー６３の孔６３ａの１つに臨み、他端は、上カバー６２の孔６２ａの１つに臨んでいる。ただし、６４本の光導波路６４ａは適宜に曲げられ入り組んでおり、入射面での配置と出射面での配置とが異なっている。図４上は入射面での配置を図４下は出射面での配置を示している。同じ光導波路６４ａの一端と他端には同じ数字を付してある。また、図５上は入射面に入り込む光画像の一例を図５下はこのとき出射面に表示される光画像の一例を示している。図５下は出射面に表示される顔画像を示している。
【００２３】
導電体６５は、前側導電体６５ａと後側導電体６５ｂとから構成され、前側導電体６５ａの突起６５０ａを後側導電体６５ｂの同数の孔６５０ｂに嵌合させることによって形成されている。この導電体６５の前面及び後面には同形の凸部６５ｃがそれぞれ形成されている。凸部６５ｃの数は前面側が１つ、後面側が２つとなっている。ただし、凸部６５ｃの数はこれに限定されない。この凸部６５ｃは枠体６１の前面及び後面の孔６１ｅに嵌合され少しばかり枠体６１の外面よりも外側に突出している。この凸部６５ｃは表示ブロック５０の摘み部の位置に設けられる。換言すれば、表示ブロック５０を人が摘んだ際に、凸部６５ｃに人の指が触れることになる。この導電体６５は孔６５ｄに枠体６１の同数の突起６１ｆを嵌合させることによって枠体６１に取り付けられる。
この導電体６５は下側に配設される導電性の３つの触子（導電部材）６６に当接している。この３つの触子６６は下カバー６３の凹部６３ｂに嵌合され、３つの触子６６の下端部は下カバー６３の下面よりも下側に突出している。この３つの触子６６は脚部５３，５４及び尾部５８に対応した位置に設置される。この３つの触子６６はタッチパネル１１に触れた際に、表示ブロック５０が載置されたことの検出や、表示ブロック５０の向きを検出するために使用される。
【００２４】
（２）表示装置１０について
この実施形態では表示装置１０としてスマートフォン１０ａが用いられている。ただし、表示装置１０はスマートフォン１０ａには限定されず、タブレットやゲーム機であってもよい。図６は、スマートフォン１０ａの機能構成例を示すブロック図である。図６に示すように、スマートフォン１０ａは、送受話部７１と、入力部７２と、表示部７３と、撮像部７４と、無線通信部７５と、記録部７６と、処理部７７とを備える。
【００２５】
送受話部７１は、送話音声を集音し、受話音声を出力するためのものであり、図１に示した通話用のマイク７１１やスピーカ７１２等で構成される。
【００２６】
入力部７２は、タッチパッドの他、ボタンスイッチやダイヤルスイッチ、キーボード、マウス等の入力装置を適宜採用して実現でき、操作入力に応じた入力信号を処理部７７に出力する。タッチパッドとしては特に限定はされないが静電容量式のものが使用される。処理部７７は所定のプログラムと協働して各部の統括を行うと共に、各種処理を実行する。実施形態の場合、この処理部７７はコミュニケーション処理部７７１としても機能する。表示部７３は、ＬＣＤやＥＬディスプレイ等の表示装置によって実現されるものであり、処理部７７から入力される表示信号をもとに演出画面等の各種画面を表示する。この表示部７７は実施形態の場合、入力部７２としてのタッチパッドと組み合わさり、両者でタッチパネル１１を構成している。撮像部７４は、撮影レンズや、この撮影レンズを通して入射した光をデジタル信号に変換する撮像素子等を含み、被写体の画像データを生成して処理部７７に出力する。
【００２７】
無線通信部７５は、所定の無線通信回線を介してサーバ等との間でデータを送受するためのものであり、例えば、通信サービス事業者が設置した無線基地局を介して無線信号の送受信を行うアンテナやＲＦ変換器等によって実現される。
【００２８】
記録部７６は、更新記録可能なフラッシュメモリ等のＲＯＭやＲＡＭといった各種ＩＣメモリ、ハードディスク、メモリカード等の光画像記録媒体およびその読取装置等によって実現されるものである。この記録部７６には、スマートフォン１０ａを動作させ、このスマートフォン１０ａが備える種々の機能を実現するためのプログラムや、このプログラムの実行中に使用されるデータ等が予め格納されて適宜更新され、あるいは処理の都度一時的に格納される。また、記録部７６には、コミュニケーションの開始に先立ち無線通信部７５を介してサーバからダウンロード等したコミュニケーションプログラム７６１と、コミュニケーションデータ７６２とが格納されて適宜更新され、あるいは処理の都度一時的に格納される。
【００２９】
（３）遊び方
遊ぶに際しては、コミュニケーションプログラムを立ち上げ、図７に示すように、タッチパネル１１の上に表示ブロック５０を載せる。すると、スマートフォン１０ａは３つの触子６６の接触位置から表示ブロック５０の向きを検出し、表示ブロック５０の下側に所定の光画像を表示させる。この光画像は表示ブロック５０をタッチパネル１１の上で動かすと、それに追従して動く。また、表示ブロック５０の下側に所定の光画像が表示された後、タッチパネル１１から取り除いたときには、最後の位置に光画像が継続して表示される。
【００３０】
（初期設定）
この表示システム１００では、表示装置１０としてのスマートフォン１０ａがコミュニケーション処理を実行する。まず、最初に性格を設定するために、血液型、星座、好きな食べ物を選択肢の中から選んで選択する。選択肢は画面下側の表示領域１１ａ（図７）に文字によって表示される。また、選択は、特に限定はされないが、文字のフリック及びタップによって行う。この選択された血液型、星座、好きな食べ物に応じて性格が設定される。この性格は記録部７６に記憶され、この性格に応じて以降のコミュニケーションが行われる。
【００３１】
（実行されるコミュニケーション）
１．適当な会話
通話用のマイク７１１で音を拾うと、予め記録部７６に記録されている会話データの中から言葉を抽出し、適当な返事を返す。その際に、表示ブロック５０の出射面５２に表示される顔を動作させる。また、予め記録部７６に記録されている会話データの中から言葉を抽出し、表示領域１１ａへの文字の表示や、スピーカ７１２を介して話しかける。この場合も、表示ブロック５０の出射面５２に表示される顔を動作させる。
【００３２】
２．世話・トイレ
スマートフォン１０ａのスピーカ７１２から「おなかすいたなー」と話しかけたり、「トイレに行きたいなー」と話しかけたりする。その際に、表示ブロック５０の出射面５２に表示される顔を動作させる。前者の場合、例えば、「ごはん」と書かれたボタンが表示領域１１ａに表示されるので、それをタップすると各種食べ物が表示領域１１ａに絵柄で表示される。その中の１つに触れ、それをスワイプすると当該食べ物の絵柄は表示ブロック５０の下側に潜り込むように移動し消失する。すると、食べた感想を表示領域１１ａへの文字の表示で話したり、スピーカ７１２から音出力で話したりする。この場合も、感想内容に応じて、表示ブロック５０の出射面５２に表示される顔を動作させる。
【００３３】
３．日めくり格言
１日の初めには本日の格言を表示領域１１ａへの文字の表示で話したり、スピーカ７１２から音出力で話したりする。スマートフォン１０ａには暦機能、計時機能が備わっているので、それを利用して、時宜にあった格言を話す。この場合も、表示ブロック５０の出射面５２に表示される顔を動作させる。
【００３４】
４．占い診断
登録された血液型や星座、及びスマートフォン１０ａに備えられた暦機能に基づいて、或いは、適当に占い診断をする。占い結果を表示領域１１ａへの文字の表示で話したり、スピーカ７１２から音出力で話したりする。この場合も、表示ブロック５０の出射面５２に表示される顔を動作させる。
【００３５】
５．ゲーム
例えば、スマートフォン１０ａのスピーカ７１２から「じゃんけんゲームをしよう。」と話しかけ、「じゃんけんぽん」でグー、チョキ、パーの絵柄をタッチパネル１１に表示する。いずれかの絵柄をタップすると、プレイヤ側の手が固定され、少し後に、スマートフォン１０ａ側の手が表示される。その際に、表示ブロック５０の出射面５２にグー、チョキ、パーの絵柄が順に表示され、最終的に、１つの絵柄の所で停止する。これがスマートフォン１０ａ側の手となる。そして、スマートフォン１０ａは勝敗を判断し、この判断結果を表示領域１１ａへの文字の表示で話したり、スピーカ７１２から音出力で話したりするとともに、判断結果に応じて、表示ブロック５０の出射面５２に表示される顔を動作させる。
【００３６】
６．相性占い
これは１台のスマートフォン１０ａと１個の表示ブロック５０を使用して行われる。スマートフォン１０ａの画面を横にし、表示ブロック５０を間にその左右のタッチパネル１１の上に２人の指を置くと、スマートフォン１０ａが適当に占い、その相性を表示領域１１ａへの文字の表示で話したり、スピーカ７１２から音出力で話したりするとともに、相性に応じて、表示ブロック５０の出射面５２に表示される顔を動作させる。
【００３７】
７．おしゃべり
２台のスマートフォン１０ａを近付けると、適当な会話を始める。このとき、２台のスマートフォン１０ａは非可聴音通信を行い、スマートフォン１０ａ同士が日常会話を行う。この場合、おしゃべり内容を表示領域１１ａへの文字の表示で話したり、スピーカ７１２から音出力で話したりする、この場合も、会話内容に応じて、表示ブロック５０の出射面５２に表示される顔を動作させる。
【００３８】
《発明の変形例》
以上、本発明の実施形態について説明したが、本発明は、かかる実施形態に限定されず、その要旨を逸脱しない範囲で、種々変形可能であることは言うまでもない。
例えば、上記実施形態では、３つの触子６６により表示ブロック５０の向きを検出するようにしたが、その他の表示ブロック５０の状態を検出するようにしてもよい。例えば、表示ブロック５０の所定時間内における載置回数を検出し、載置回数に応じた表情等を表示させるようにしてもよい。
【００３９】
なお、特許請求の範囲には記載していないが、本明細書からは、「入射面と出射面とを有する表示ブロックであって、一端が入射面に位置し他端が出射面に位置する光導波路の集合体を有し、前記集合体を構成する光導波路は入り組んで形成された表示ブロック」の発明が抽出される。この発明によれば、表示ブロックの出射面に整然とした光画像が表示されるように、表示装置の表示部に表示される光画像をプレイヤに分からないような形にすることができる。
【符号の説明】
【００４０】
１００    表示システム
１０    表示装置
１０ａ    スマートフォン
１１    タッチパネル
５０    表示ブロック
５１    入射面
５２    出射面
６４    光導波路集合体
６４ａ    光導波路
７３    表示部
【図１】
2017153878.tif 000003
【図２】
2017153878.tif 000004
【図３】
2017153878.tif 000005
【図４】
2017153878.tif 000006
【図５】
2017153878.tif 000007
【図６】
2017153878.tif 000008
【図７】
2017153878.tif 000009